(57)【要約】【課題】ＡＦポイント数やＡＦポイントを切り替えるための操作部の配置位置の相違、ＡＦポイントを切り替えるための操作方法に相違があっても、ＡＦポイントの切り替え操作を短時間で習得可能にすること。【解決手段】目標のＡＦポイントを複数のＡＦポイントＰ１〜Ｐ１１の中から少なくとも１つ設定し、当該目標のＡＦポイントの選択が確定すると、次の目標のＡＦポイントを複数のＡＦポイントＰ１〜Ｐ１１の中からランダムに選択して少なくとも１つ設定することを繰り返す練習モード手段３０４を備える。【選択図】図１
2010250123.tif 000002
【特許請求の範囲】
【請求項１】
複数の焦点検出領域を有し、これら焦点検出領域を変更可能とする撮影装置において、
上記複数の焦点検出領域のうちいずれかを選択する操作の練習を可能とする練習モードを有する練習モード手段と、
通常撮影を可能とする通常撮影モードと上記練習モードとのいずれかを選択するモード選択手段と、
上記複数の焦点検出領域のうち特定の上記焦点検出領域を選択することを可能する操作手段と、
上記練習モードが選択されている場合、上記操作手段により選択された上記焦点検出領域を表示すると共に、当該選択されることを促す上記焦点検出領域を異なる表示形態で表示する表示手段と、
を具備することを特徴とする撮影装置。
【請求項２】
上記表示手段は、上記焦点検出領域をファインダー内に表示することを特徴とする請求項１に記載の撮影装置。
【請求項３】
上記ファインダーは、光学ファインダーであり、
上記表示手段は、上記光学ファインダー内に上記選択された上記焦点検出領域を表示し、上記選択されることを促す上記焦点検出領域をスーパーインポーズ表示する、
ことを特徴とする請求項１に記載の撮影装置。
【請求項４】
上記表示手段は、液晶モニタであり、
上記液晶モニタは、上記練習モードにおける上記操作手段により選択された上記焦点検出領域を表示し、当該選択されることを促す上記異なる表示形態での上記焦点検出領域を表示する、
ことを特徴とする請求項１に記載の撮影装置。
【請求項５】
被写体を撮像する撮像素子を有し、
上記表示手段は、上記撮像素子から出力される画像情報に基づいて前記被写体の画像を表示する、
ことを特徴とする請求項１に記載の撮影装置。
【請求項６】
上記練習モードが選択されている場合、動画像又は静止画として再生可能な画像情報を有し、上記画像情報を再生する再生手段を有し、
上記表示手段は、上記再生手段により再生された前記画像情報を表示すると共に、上記再生された前記画像情報に重畳させて上記選択された上記焦点検出領域と上記選択されることを促す上記焦点検出領域とを表示する、
ことを特徴とする請求項５に記載の撮影装置。
【請求項７】
上記選択されることを促す上記焦点検出領域が選択されると、上記再生手段は、再生する上記動画像又は上記静止画における上記選択された当該焦点検出領域に対応する部分にピントの合った画像を生成して上記表示手段に表示させることを特徴とする請求項６に記載の撮影装置。
【請求項８】
上記複数の焦点検出領域のうちいずれかを選択する操作の練習を可能とする練習モードが選択された場合、上記表示手段が選択されることを促す上記異なる表示形態での上記焦点検出領域を表示してから上記操作手段により当該焦点検出領域が選択されるまでに要した時間を計測する時間計測手段を備えたことを特徴とする請求項１に記載の撮影装置。
【請求項９】
上記練習モード手段は、上記選択されることを促す上記焦点検出領域の表示を上記複数の焦点検出領域の中から少なくとも１つの上記焦点検出領域の表示をランダムに繰り返すことを特徴とする請求項１に記載の撮影装置。
【請求項１０】
上記練習モード手段は、上記選択されることを促す上記焦点検出領域に対する選択が確定すると、当該選択確定の旨を報知することを特徴とする請求項１に記載の撮影装置。
【請求項１１】
上記練習モード手段は、上記選択されることを促す上記焦点検出領域の表示として点滅させることを特徴とする請求項１に記載の撮影装置。
【請求項１２】
複数の焦点検出領域を変更可能とする撮影装置に適用される練習モード用プログラムであって、
上記複数の焦点検出領域のうち少なくとも１つの上記焦点検出領域を異なる表示形態で表示して当該焦点検出領域が選択されることを促し、かつ上記選択されることを促す上記異なる表示形態での上記焦点検出領域の表示を上記複数の焦点検出領域の中からランダムに変更して繰り返すことを特徴とする練習モード用プログラム。
【発明の詳細な説明】
【技術分野】
【０００１】
本発明は、複数の焦点検出領域を変更可能とする撮影装置及びこの撮影装置に適用して複数の焦点検出領域のうちいずれかの焦点検出領域の選択操作の練習を可能とする練習モード用プログラムに関する。
【背景技術】
【０００２】
カメラには、複数のオートフォーカス（ＡＦ）ポイントを有するものがある。このカメラは、例えばファインダー内に複数のＡＦポイントを表示し、これらＡＦポイントの中から選択されたＡＦポイントをスーパーインポーズ表示する。かかるカメラは、先行技術として多数提案があり、例えば特許文献１がある。この特許文献１は、ファインダー視野内に焦点検出領域とフォーカスエイド指標とをスーパーインポーズ表示するカメラについて開示する。
【０００３】
かかるカメラは、機種等の違いによってＡＦポイント数が異なり、かつＡＦポイントを切り替えるための操作部の配置位置やその形状も異なる。又、カメラは、機種等の違いによってＡＦポイントを切り替えるための操作方法も例えばダイヤルを用いたり、十字ボタンを用いたり等のように相違する。
【０００４】
一方、カメラの先行技術として例えば特許文献２がある。この特許文献２は、撮影テクニックを十分に楽しみながら練習するための例えばカメラが安定しているか、ズームが適切か、望遠かなどの練習モードについて開示する。
【先行技術文献】
【特許文献】
【０００５】
【特許文献１】特開２００２−７２３３１号公報
【特許文献２】特開２００７−２８８２６６号公報
【発明の概要】
【発明が解決しようとする課題】
【０００６】
しかしながら、カメラを複数台並行して使用したり、新たなカメラを入手して使用する場合、特許文献１に開示されているカメラでは、機種等の違いによってＡＦポイント数の相違や、ＡＦポイントを切り替えるための操作方法が相違することが多いために、撮影者は、ＡＦポイントの選択、切り替え操作に戸惑いを生じ、シャッターチャンスを逃すおそれがある。  
特許文献２は、例えばカメラが安定しているか、ズームが適切か、望遠かなどの撮影テクニックを十分に楽しみながら練習するためのカメラであって、ＡＦポイントの選択、切り替え操作を向上させるための練習についての技術でない。
【０００７】
本発明の目的は、ＡＦポイント数やＡＦポイントを切り替えるための操作部の配置位置の相違、ＡＦポイントを切り替えるための操作方法に相違があっても、ＡＦポイントの切り替え操作を短時間で習得可能な撮像装置及び練習モード用プログラムを提供することにある。
【課題を解決するための手段】
【０００８】
本発明の主要な局面に係る撮影装置は、複数の焦点検出領域を有し、これら焦点検出領域を変更可能とする撮影装置であって、上記複数の焦点検出領域のうちいずれかを選択する操作の練習を可能とする練習モードを有する練習モード手段と、通常撮影を可能とする通常撮影モードと練習モードとのいずれかを選択するモード選択手段と、複数の焦点検出領域のうち特定の焦点検出領域を選択することを可能する操作手段と、練習モードが選択されている場合、操作手段により選択された焦点検出領域を表示すると共に、当該選択されることを促す焦点検出領域を異なる表示形態で表示する表示手段とを具備する。
【０００９】
本発明の他の主要な局面に係る練習モード用プログラムは、複数の焦点検出領域を変更可能とする撮影装置に適用される練習モード用プログラムであって、複数の焦点検出領域のうち少なくとも１つの焦点検出領域を異なる表示形態で表示して当該焦点検出領域が選択されることを促し、かつ選択されることを促す異なる表示形態での焦点検出領域の表示を複数の焦点検出領域の中からランダムに変更して繰り返す。
【発明の効果】
【００１０】
本発明によれば、ＡＦポイント数やＡＦポイントを切り替えるための操作部の配置位置の相違、ＡＦポイントを切り替えるための操作方法に相違があっても、ＡＦポイントの切り替え操作を短時間で習得可能な撮像装置及び練習モード用プログラムを提供できる。
【図面の簡単な説明】
【００１１】
【図１】本発明に係る第１の実施の形態のデジタルー眼レフカメラにおけるデジタルＳＬＲ回路を示すブロック構成図。
【図２】同カメラを示す外観図。
【図３】同カメラにおけるファインダーで視認されるＡＦポイントのスーパーインポーズ表示の一例を示す図。
【図４】同カメラにおける練習モード時における目標のＡＦポイントの移動の一例を示す図。
【図５】同カメラにおける通常カメラ動作モード又は練習モードの切り替えを示すメインフローチャート。
【図６】同カメラにおけるＡＦポイント選択の練習モードを示すフローチャート。
【図７】同カメラにおける練習モード時における現在と目標とのＡＦポイントの表示形態の一例を示す図。
【図８】同カメラにおける液晶モニタに一覧表示された操作所要時間の一例を示す図。
【図９】同カメラと異なる他の機種のカメラを示す外観図。
【図１０】同カメラにおける目標のＡＦポイントの移動の一例を示す図。
【図１１】同カメラに記憶されている静止画の一例を示す図。
【図１２】同カメラに記憶されている動画の一例を示す図。
【図１３】同カメラにおける主要被写体である花に対するピントがぼけ、かつ背景に対するピントが合っている状態の画像の一例を示す図。
【図１４】同カメラにおける花と蜂を含む撮影シーンで蜂の眼にピントが合った画像の一例を示す図。
【図１５】同カメラにおける画像上で人物が右から左に移動している撮影シーンの動画像の一例を示す図。
【図１６】同カメラにおける画像上で人物が右から左に移動している撮影シーンで目標のＡＦポイントが人物の顔に相当するところに設定されている動画像の一例を示す図。
【発明を実施するための形態】
【００１２】
以下、本発明の第１の実施の形態について図面を参照して説明する。  
図１はデジタルー眼レフレックスカメラにおけるデジタルＳＬＲ回路のブロック構成図を示し、図２は同カメラの外観図を示す。このカメラは、カメラ本体１１と、交換レンズとしての所望のレンズ鏡筒１２とから主に構成される。カメラ本体１１の前面には、レンズ鏡筒１２が着脱自在に設けられている。レンズ鏡筒１２の制御は、レンズ制御用マイクロコンピューク（以下、Ｌucomと称する）２０５により行う。カメラ本体１１内の制御は、ボディ制御用マイクロコンピュータ（以下、Ｂucomと称する）１５０により行う。なお、Ｌucom２０５とＢucom１５０とは、カメラ本体１１とレンズ鏡筒１２との合体されている状態で通信コネクタ２０６を介して通信可能に電気的に接続されている。この場合、カメラシステムとしてＬucom２０５は、Ｂucom１５０に対して従属的に協働しながら稼動する。
【００１３】
レンズ鏡筒１２内には、撮影光学系１２ａと、絞り２０３とが設けられている。撮影光学系１２ａは、レンズ駆動機構２０２内に設けられている図示しないＤＣモータによって駆動される。絞り２０３は、絞り駆動機構２０４内に設けられている図示しないステッピングモータによって駆動される。Ｌucom２０５は、Ｂucom１５０から発せられる指令に従って当該図示しないＤＣモータ、ステッピングモータの駆動の制御を行う。
【００１４】
カメラ本体１１内には、以下の構成部材が図示のように配設されている。例えば、カメラ本体１１内には、光学系としての一眼レフレックス方式の構成部材としてペンタプリズム１３ａ、反射鏡１３ｂ、接眼レンズ１３ｃ、サブミラー１１４とが設けられ、さらに光軸上のフォーカルプレーン式のシャッタ１４と、上記サブミラー１１４からの反射光束を受けて自動測距するためのＡＦセンサユニット１１６とが設けられている。
【００１５】
又、カメラ本体１１内には、上記ＡＦセンサユニット１１６を駆動制御するＡＦセンサ駆動回路１１７と、上記反射鏡１３ｂを駆動制御するミラー駆動機構１１８と、上記シャッタ１４の先幕と後幕とを駆動するためのばね力をチャージするシャッタチャージ機構１１９と、それら先幕と後幕との動きを制御するシャッタ制御回路１２０と、上記ペンタプリズム１３ａからの光束に基づき測光処理する測光回路１２１とが設けられている。
【００１６】
ファインダー内には、ＡＦポイントのスーパーインポーズ表示を行うための構成が設けられている。すなわち、ファインダー内には、スーパーインポーズ用の照明を行う発光ダイオード３０２と、この発光ダイオード３０２からの照射光を集光し投光するための投光レンズ３０１とがペンタプリズム１３ａの上方に配置されている。このペンタプリズム１３ａの反射鏡１３ｂ側には、フォーカシングスクリーン３００が設けられている。
【００１７】
発光ダイオード３０２から投光される光は、ペンタプリズム１３ａに入射した後、フォーカシングスクリーン３００上におけるＡＦポイントに対応して構成された微小プリズム部により反射される。そして、発光ダイオード３０２から投光される光は、ペンタプリズム１３ａ内を通過して接眼レンズ１３ｃに導かれる。これにより、発光ダイオード３０２から投光される光は、接眼レンズ１３ｃを通して視認される。
【００１８】
なお、発光ダイオード３０２は、図１において省略しているが、複数のＡＦポイントに対応して複数設けられている。しかるに、選択されたＡＦポイントに応じて複数の発光ダイオード３０２の中から例えば１つの発光ダイオード３０２が選択されて投光し、この投光された発光ダイオード３０２からの光がペンタプリズム１３ａ内を通過して接眼レンズ１３ｃに導かれる。これにより、選択されたＡＦポイントのスーパーインポーズ表示が行われる。なお、発光ダイオード３０２の投光制御は、Ｂucom１５０によって実行される。
【００１９】
図３はファインダーで視認されるＡＦポイントのスーパーインポーズ表示の一例を示す。ファインダー内には、複数の焦点検出領域として複数のＡＦポイント、例えば１１個のＡＦポイントＰ１〜Ｐ１１が表示される。これらＡＦポイントＰ１〜Ｐ１１は、通常のＡＦポイントの選択操作と同様の操作により選択される。ＡＦポイントＰ１、Ｐ２、…、Ｐ１１から例えば１つのＡＦポイントの選択は、例えば図２に示すメインダイヤルＭＤを回転操作することにより撮影画面の横方向に移動がなされ、サブダイヤルＳＤを回転操作することにより撮影画面の縦方向に移動がなされる。
【００２０】
図３に示すようにファインダー上に複数のＡＦポイントＰ１〜Ｐ１１があると、メインダイヤルＭＤを一方の方向に回転操作することによりＡＦポイントは、Ｐ１、Ｐ２、Ｐ３、…、Ｐ１１の順序に移動し、かつメインダイヤルＭＤを他方の方向に回転操作することによりＰ１１、Ｐ１０、Ｐ９、…、Ｐ１の順序に移動する。  
又、サブダイヤルＳＤを一方の方向に回転操作することによりＡＦポイントは、例えばＰ１、Ｐ５、Ｐ９、Ｐ１、…、の順序に移動し、かつサブダイヤルＳＤを他方の方向に回転操作することによりＰ１、Ｐ９、Ｐ５、…、Ｐ１の順序に移動する。
【００２１】
例えば、現在のＡＦポイントがＰ６であり、目標とするＡＦポイントをＰ１とすると、ＡＦポイントは、メインダイヤルＭＤを回転操作することにより現在のＡＦポイントＰ６から横方向に移動して例えばＡＦポイントＰ５に移る。次に、サブダイヤルＳＤを回転操作することによりＡＦポイントは、縦方向に移動してＡＦポイントＰ５からＡＦポイントＰ１に移る。  
なお、メインダイヤルＭＤとサブダイヤルＳＤとは、複数のＡＦポイントＰ１〜Ｐ１１のうち特定の焦点検出領域、すなわち目標のＡＦポイントＰ１〜Ｐ１１を選択することを可能する操作手段としての機能を有する。
【００２２】
撮影光学系１２ａの光軸上には、当該撮影光学系１２ａを通過した被写体像を光電変換するための光電変換素子としての撮像素子２７が設けられている。この撮像索子２７は、当該撮像素子２７と撮影光学系１２ａとの間に配設された光学素子としての防塵フィルタ２１によって保護されている。この防塵フィルタ２１は、透明なガラス部材により成る。この防塵フィルタ２１の周縁部には、圧電素子２２が取り付けられている。この圧電素子２２は、防塵フィルタ２１を所定の周波数で振動させる。この圧電素子２２は、２つの電極を有し、防塵フィルタ駆動回路１４０によって防塵フィルタ２１を振動させ、当該防塵フィルタ２１のガラス表面に付着していた塵を除去する。なお、防塵フィルタ２１の近傍には、撮像素子２７の周辺の温度を測定するための温度測定回路１３３が設けられている。
【００２３】
カメラ本体１１内には、撮像素子２７に接続されたインタフェィス回路１２３と、液晶モニタ１２４と、記憶領域として設けられたＳＤＲＡＭ１２５と、ＦlashＲＯＭ１２６及び記録メディア１２７などを利用して画像処理する画像処理コントローラ１２８とが設けられている。これにより、カメラ本体１１は、電子撮像機能と共に、電子記録表示機能を提供できるように構成されている。その他の記憶領域としては、不揮発性メモリ１２９がＢucom１５０からアクセス可能に設けられている。この不揮発性メモリ１２９は、カメラ制御に必要な所定の制御パラメータを記憶するもので、例えばＥＥＰＲＯＭから成る。
【００２４】
Ｂucom１５０には、当該カメラの動作状態を表示出力によってユーザへ告知するための動作表示用ＬＣＤ１５１と、カメラ操作スイッチ（ＳＷ）１５２と、時計回路３０３とが設けられている。カメラ操作ＳＷ１５２は、例えばレリーズＳＷ、モード変更ＳＷ、メニュー設定ＳＷ及びパワーＳＷ、さらにメインダイヤル、サブダイヤル等、当該カメラを操作するために必要な操作釦を含むスイッチ群を有する。
【００２５】
カメラ本体１１内には、電源としての電池１５４と、この電池１５４の出力電圧を当該カメラを構成する各回路ユニットが必要とする電圧に変換して供給する電源回路１５３が設けられている。この電源回路１５３は、Ｂucom１５０に接続されている。
【００２６】
上記ＦlashＲＯＭ１２６には、複数のＡＦポイントＰ１〜Ｐ１１を変更する操作を練習するための練習モード用プログラムが予め記憶されている。この練習モード用プログラムは、ファインダー内でスーパーインポーズ表示される複数のＡＦポイントＰ１〜Ｐ１１のうち少なくとも１つのＡＦポイント、例えばＡＦポイントＰ１を異なる表示形態、例えば点滅等の表示形態で表示して当該ＡＦポイントＰ１が選択されることを促し、かつ選択されることを促す例えば点滅等の異なる表示形態でのＡＦポイントＰ１〜Ｐ１１の表示を複数のＡＦポイントＰ１〜Ｐ１１の中からランダムに変更して繰り返す。
【００２７】
Ｂucom１５０は、ＦlashＲＯＭ１２６に記憶されている練習モード用プログラムを実行することにより、複数のＡＦポイントＰ１〜Ｐ１１のうちいずれかを選択する操作の練習を可能とする練習モードを有する練習モード手段３０４の機能を有するものとなる。  
この練習モード手段３０４は、選択されることを促す焦点検出領域、例えば目標のＡＦポイントの表示を複数のＡＦポイントＰ１〜Ｐ１１の中から少なくとも１つずつランダムに変更して繰り返す。すなわち、練習モード手段３０４は、目標のＡＦポイントを複数のＡＦポイントＰ１〜Ｐ１１の中から少なくとも１つ設定し、当該目標のＡＦポイントの選択が確定すると、次の目標のＡＦポイントを複数のＡＦポイントＰ１〜Ｐ１１の中からランダムに少なくとも１つ選択することを繰り返す。
【００２８】
例えば、練習モード手段３０４は、図４に示すように複数のＡＦポイントＰ１〜Ｐ１１の中から目標のＡＦポイントをＰ１、Ｐ４、Ｐ２、Ｐ５、Ｐ１１、Ｐ８、Ｐ３、…、のようにランダムに選択して少なくとも１つ設定することを繰り返す。なお、練習モード手段３０４は、複数のＡＦポイントＰ１〜Ｐ１１の中から１つのＡＦポイントＰ１に限らず、複数のＡＦポイント、例えばＡＦポイントＰ１、Ｐ２を同時に目標のＡＦポイントに設定してもよい。この場合、ＡＦポイントは、２つのＡＦポイントＰ１とＰ２との中間に設定する。
【００２９】
練習モード手段３０４は、目標のＡＦポイントＰ１、Ｐ２、…、Ｐ１１を点滅表示させる。  
練習モード手段３０４は、目標のＡＦポイントＰ１、Ｐ２、…、Ｐ１１に対する選択が確定すると、当該選択確定の旨を報知する。すなわち、例えば図２に示すメインダイヤルＭＤとサブダイヤルＳＤとの回転操作により現在のＡＦポイントが目標のＡＦポイント、例えばＡＦポイントＰ１に到達すると、このときＡＦポイントＰ１は選択候補で選択されている状態にある。この状態で、例えばカメラ操作ＳＷ１５２におけるレリーズＳＷがオン操作されると、練習モード手段３０４は、ＡＦポイントＰ１の選択が確定したと判断し、次の目標のＡＦポイントを点滅表示させる。
【００３０】
上記時計回路３０３は、複数のＡＦポイントＰ１〜Ｐ１１のうちいずれかを選択する操作の練習を可能とする練習モードに要した時間を計測する。
【００３１】
Ｂucom１５０は、カメラ操作ＳＷ１５２における例えばメニュー設定ＳＷの操作を受けて通常のカメラ動作モード（通常撮影モード）と練習モードとの変更を行う。すなわち、Ｂucom１５０は、通常撮影を可能とする通常撮影モードと練習モードとのいずれかを選択するモード選択手段としての機能を有する。
【００３２】
次に、上記の如く構成されたカメラの動作について説明する。  
Ｂucom１５０は、図５に示すメインフローチャートに従い、ステップ＃１において、カメラ操作ＳＷ１５２における例えばメニュー設定ＳＷに対する練習モードへの変更操作があるか否かを判断する。この判断の結果、練習モードへの変更操作がなければ、Ｂucom１５０は、ステップ＃２に移り、通常のカメラの動作を行う通常撮影モードを行う。
【００３３】
通常撮影モードにおいて、先ず、画像処理コントローラ１２８は、Ｂucom１５０からの指令に従ってインタフェィス回路１２３を制御して撮像素子２７から画像データを取り込む。この画像データは、画像処理コントローラ１２８によりビデオ信号に変換され、液晶モニタ１２４に表示出力される。ユーザは、液晶モニタ１２４の表示画像から撮影した画像イメージを確認することができる。  
このとき、ＳＤＲＡＭ１２５は、画像データの一時的保管用メモリであり、画像データが変換される際のワークエリアなどに使用される。又、この画像データは、ＪＰＥＧデータに変換された後に記録メディア１２７に保管されるように設定されている。
【００３４】
撮像素子２７は、上記したように透明なガラス部材でなる防塵フィルク２１によって保護されている。この防塵フィルタ２１の周縁部には、当該防塵フィルタ２１のガラス面を加振するための圧電素子２２が配置されている。この圧電素子２２は、防塵フィルタ駆動回路１４０によって駆動される。撮像素子２７及び圧電素子２２は、防塵フィルタ２１を一面とし、かつ図１における破線で示すような枠体によって囲まれたケース内に一体的に収納されることが防塵のためにより好ましい。
【００３５】
通常、温度は、ガラス製の物材の弾性係数に影響し、その固有振動数を変化させる要因の１つである。このため、防塵フィルタ２１の運用時にその温度を計測してその固有振動数の変化を考慮しなければならない。稼動中に温度上昇が激しい撮像素子２７の前面を保護するため設けられた防塵フィルタ２１の温度変化を測定して、そのときの固有振動数を予想するようにしたほうがよい。従って、この例の場合、上記温度測定回路１３３に接続されたセンサ（不図示）が、撮像素子２７の周辺温度を測定するため設けられている。なお、そのセンサの温度測定ポイントは、防塵フィルタ２１の振動面の極近傍に設定されるのが好ましい。
【００３６】
ミラー駆動機構１１８は、反射鏡１３ｂをアップ（ＵＰ）位置とダウン（ＤＯＷＮ）位置とに駆動する。反射鏡１３ｂがダウン（ＤＯＷＮ）位置にあるとき、撮影光学系１２ａからの光束は、ＡＦセンサユニット１１６側とペンタプリズム１３ａ側へと分割されて導かれる。ＡＦセンサユニット１１６内のＡＦセンサからの出力は、ＡＦセンサ駆動回路１１７を介してＢucom１５０に送信されて周知の測距処理が行われる。
【００３７】
又、ペンタプリズム１３ａに隣接する接眼レンズ１３ｃからは、ユーザが被写体を目視できる。一方、ペンタプリズム１３ａを通過した光束の一部は、測光回路１２１内のホトセンサ（不図示）に導かれ、ここで検知された光量に基づき周知の測光処理が行われる。
【００３８】
Ｂucom１５０は、上記ステップ＃１での判断の結果、練習モードへの変更操作が行われば、Ｂucom１５０は、ステップ＃３に移り、ＦlashＲＯＭ１２６に記憶されているＡＦポイントを選択するための練習モード用プログラムを実行し、複数のＡＦポイントＰ１〜Ｐ１１を変更する操作を練習するための練習モードを行う。すなわち、Ｂucom１５０の練習モード手段３０４は、目標のＡＦポイントを複数のＡＦポイントＰ１〜Ｐ１１の中から例えば１つ設定し、当該目標のＡＦポイントの選択が確定すると、次の目標のＡＦポイントを複数のＡＦポイントＰ１〜Ｐ１１の中からランダムに選択して１つ設定することを繰り返す。
【００３９】
例えば、練習モード手段３０４は、図４に示すように複数のＡＦポイントＰ１〜Ｐ１１の中からランダムに目標のＡＦポイントをＰ１、Ｐ４、Ｐ２、Ｐ５、Ｐ１１、Ｐ８、Ｐ３、…、のように選択するものとする。具体的に説明すると、練習モード手段３０４は、練習モード時、先ず、ステップ＃１０において、図７に示すように現在選択されているＡＦポイントＰ１を点灯し、ステップ＃１１において、ＡＦポイントＰ１の次の目標のＡＦポイントＰ４を生成し、ステップ＃１１において、次の目標のＡＦポイントＰ４を点滅する。
【００４０】
次に、Ｂucom１５０は、ステップ＃１３において、時計回路３０３の計時を開始する。  
次に、Ｂucom１５０は、ステップ＃１４において、カメラ操作ＳＷ１５２における例えばメニュー設定ＳＷに対する練習モードの解除の操作があるか否かを判断する。この判断の結果、練習モードの解除の操作があれば、Ｂucom１５０は、練習モードを終了し、通常のカメラ動作モードに移る。
【００４１】
一方、練習モードの解除の操作がなければ、Ｂucom１５０は、ステップ＃１５に移り、ユーザによる図２に示すメインダイヤルＭＤ又はサブダイヤルＳＤのいずれか一方又は両方の回転操作があるか否かを判断する。ここで、ユーザにより図２に示すメインダイヤルＭＤが回転操作されると、練習モード手段３０４は、目標のＡＦポイントを横方向に移動する。サブダイヤルＳＤが回転操作されると、練習モード手段３０４は、目標のＡＦポイントを縦方向に移動する。メインダイヤルＭＤ又はサブダイヤルＳＤのいずれか一方又は両方を回転操作することにより、練習モード手段３０４は、現在のＡＦポイントをＰ１からＰ４に移動する。
【００４２】
このとき、練習モード手段３０４は、メインダイヤルＭＤ又はサブダイヤルＳＤのいずれか一方又は両方の回転操作を受けて、現在のＡＦポイントを例えばＰ１からＰ５を経由してＰ４に移動する。この現在のＡＦポイントのＰ１からＰ５を経由してＰ４への移動時に、練習モード手段３０４は、ステップ＃１６において、ＡＦポイントＰ１、Ｐ５、Ｐ４を順次点灯する。
【００４３】
次に、練習モード手段３０４は、ステップ＃１７において、現在のＡＦポイントを移動し、この現在のＡＦポイントが目標のＡＦポイントＰ４に一致したか否かを判断する。この判断の結果、現在のＡＦポイントが目標のＡＦポイントＰ４に一致すると、練習モード手段３０４は、ステップ＃１８において、時計回路３０３の計時を終了する。
【００４４】
現在のＡＦポイントが目標のＡＦポイントＰ４に一致したか否かの判断は、一致している時間が所定時間以上であるか否かにより判断する。具体的には、メインダイヤルＭＤ又はサブダイヤルＳＤの回転操作により現在のＡＦポイントが例えば目標のＡＦポイントＰ４に移動する際、現在のＡＦポイントが例えば目標のＡＦポイントＰ４に一致した時点から不一致となった時点までの時間を計測する。  
これにより、メインダイヤルＭＤ又はサブダイヤルＳＤの回転操作により現在のＡＦポイントが、例えば目標のＡＦポイントＰ４に極短時間一致し、この後、隣の例えばＡＦポイントＰ５に移動するような場合がある。このような場合、ＡＦポイントＰ４を選択することを意図していない操作や誤操作として排除することができる。上記現在のＡＦポイントが例えば目標のＡＦポイントＰ４に一致している時間は、時計回路３０３の計時を使用して計測する。
【００４５】
次に、練習モード手段３０４は、ステップ＃１９において、時計回路３０３の計時時間を読み取り、この計時時間を練習モードにおいてＡＦポイントをＰ１からＰ４に移動するに要する操作所要時間として例えばＳＤＲＡＭ１２５に記憶する。
【００４６】
なお、練習モード手段３０４は、現在のＡＦポイントが例えば目標のＡＦポイントＰ４に一致したか否かを判断しているが、例えばカメラ操作ＳＷ１５２におけるレリーズＳＷがオン操作されたときに目標のＡＦポイントＰ４の選択が確定したと判断してもよい。この場合、練習モード手段３０４は、レリーズＳＷがオン操作されたときに時計回路３０３の計時を終了し、このときの時計回路３０３の計時時間をＡＦポイントの移動するに要する操作所要時間として例えばＳＤＲＡＭ１２５に記憶する。
【００４７】
このようにレリーズＳＷがオン操作されたときに例えば目標のＡＦポイントＰ４の選択が確定したと判断するのは、メインダイヤルＭＤ又はサブダイヤルＳＤのいずれか一方又は両方の回転操作により偶発的に現在のＡＦポイントが例えば目標のＡＦポイントＰ４に一致し、練習モードによる次の目標のＡＦポイントの発生に進むのを防止するためである。目標のＡＦポイントＰ４の選択を確定するためにレリーズＳＷをオン操作するので、撮影操作の一連の練習にもなる。
【００４８】
次に、練習モード手段３０４は、ステップ＃２０において、目標のＡＦポイントの生成を所定回数実行したか否かを判断する。この判断の結果、目標のＡＦポイントの生成を所定回数実行していなければ、練習モード手段３０４は、再び、ステップ＃１１に戻り、ＡＦポイントＰ４の次の目標のＡＦポイントＰ２を生成し、当該次の目標のＡＦポイントＰ２を点滅する。
【００４９】
これ以降、練習モード手段３０４は、ステップ＃１１〜＃２０を繰り返すことにより、上記図４に示すように複数のＡＦポイントＰ１〜Ｐ１１の中からランダムに目標のＡＦポイントをＰ５、Ｐ１１、Ｐ８、Ｐ３、…、のように順次生成し、これら目標のＡＦポイントＰ５、Ｐ１１、Ｐ８、Ｐ３、…、を点滅する。そして、練習モード手段３０４は、現在のＡＦポイントが目標のＡＦポイントＰ４に一致すると、時計回路３０３の計時を終了し、この計時時間を練習モードにおいてＡＦポイントを目標のＡＦポイントに移動するに要する操作所要時間として例えばＳＤＲＡＭ１２５に記憶する。
【００５０】
目標のＡＦポイントの生成を所定回数実行すると、練習モード手段３０４は、ステップ＃２１に移り、ＳＤＲＡＭ１２５に記憶されているＡＦポイントを目標のＡＦポイントに移動するに要する各操作所要時間を読み出し、これら操作所要時間を液晶モニタ１２４に一覧表示する。図８は液晶モニタ１２４に一覧表示された操作所要時間ＴＳの一例を示す。この操作所要時間ＴＳには、例えば０．２（sec）、０．１５（sec）が表示されている。
【００５１】
次に、練習モード手段３０４は、ステップ＃２２において、ＡＦポイントを目標のＡＦポイントに移動するに要する各操作所要時間の中から今までの最短の操作所要時間を更新したか否かを判断する。この判断の結果、更新した最短の操作所要時間があれば、練習モード手段３０４は、ステップ＃２３において、当該更新した最短の操作所要時間を液晶モニタ１２４に表示する。例えば図８に示すように液晶モニタ１２４に最短の操作所要時間（ハイスコアの操作所要時間）として０．１２（sec）が表示されている。
【００５２】
このように上記第１の実施の形態によれば、目標のＡＦポイントを複数のＡＦポイントＰ１〜Ｐ１１の中から少なくとも１つ設定し、当該目標のＡＦポイントの選択が確定すると、次の目標のＡＦポイントを複数のＡＦポイントＰ１〜Ｐ１１の中からランダムに選択して少なくとも１つ設定することを繰り返す練習モードを備えた。このような練習モードを備えたことにより、カメラの機種等の違いによってＡＦポイント数やＡＦポイントを切り替えるための操作部の配置位置の相違、ＡＦポイントを切り替えるための操作方法に相違があっても、ＡＦポイントの切り替え操作を短時間で習得可能である。
【００５３】
従って、カメラを複数台並行して使用したり、新たなカメラを入手して使用する場合、機種等の違いによってＡＦポイント数の相違や、ＡＦポイントを切り替えるための操作方法が相違していても、撮影者は、練習モードによりＡＦポイントの切り替え操作を短時間で習得することができ、ＡＦポイントの選択、切り替え操作に戸惑いを生じることなく、シャッターチャンスを逃すおそれもない。
【００５４】
複数のＡＦポイントＰ１〜Ｐ１１のうちいずれかを選択する操作の練習を可能とする練習モードに要した時間を計測する時計回路３０３を設けたので、練習モード時に、選択すべきＡＦポイントの表示の点滅の開始時と共に時計回路３０３の時間計測を開始し、ユーザによるＡＦポイントの選択のためのメインダイヤルＭＤやサブダイヤルＳＤなどカメラ操作ＳＷ１５２の操作により点滅中のＡＦポイントが選択されるまでの所要時間を計測し、当該操作所要時間を液晶モニタ１２４に表示できる。
【００５５】
このように計測された操作所要時間は、毎回例えばＳＤＲＡＭ１２５に記録され、過去の操作所要時間と比較し、最短の操作所要時間が計測された否かを判断する。そして、最短の操作所要時間が計測されると、当該最短の操作所要時間を液晶モニタ１２４に表示したり、各操作所要時間を一覧表として表示し、ユーザによるＡＦポイントの選択の操作テクニックの向上を認識することができる。
【００５６】
一方、カメラの機種等によっては、ＡＦポイントを選択するための操作手段がダイヤルであったり、ボタンであったりして相違し、かつこれらダイヤルやボタンのカメラ本体における取り付け位置や個数も相違する。又、カメラの機種等によっては、ＡＦポイントの個数やこれらＡＦポイントの配置位置も相違する。  
図９はメインダイヤル４００の回転操作によりＡＦポイントを選択するカメラの外観図を示す。このカメラでは、ユーザによってメインダイヤル４００を回転操作することによりＡＦポイントの選択が予め設定された順序に従って行われる。例えば、図１０に示すようにファインダー上に複数のＡＦポイントＰ１０〜Ｐ１８があると、ＡＦポイントは、メインダイヤル４００を一方の方向に回転操作することによりＰ１０、Ｐ１１、Ｐ１２、…、Ｐ１８の順序に移動し、かつメインダイヤル４００を他方の方向に回転操作することによりＰ１８、Ｐ１７、Ｐ１６、…、Ｐ１０の順序に移動する。
【００５７】
次に、本カメラの動作について説明する。  
練習モード手段３０４は、メインダイヤル４００の回転操作を受けて、現在のＡＦポイントを例えばＰ１４から目標のＡＦポイントＰ１１に移動する。現在のＡＦポイントＰ１４から目標のＡＦポイントＰ１１への移動の過程に、練習モード手段３０４は、上記ステップ＃１６において、各ＡＦポイントＰ１４、Ｐ１３、Ｐ１２を順次点灯する。
【００５８】
次に、練習モード手段３０４は、上記ステップ＃１７において、現在のＡＦポイントＰ１４、Ｐ１３、Ｐ１２に順次移動し、これら現在のＡＦポイントが目標のＡＦポイントＰ１１に一致したか否かを判断する。この判断の結果、現在のＡＦポイントが目標のＡＦポイントＰ１１に一致すると、練習モード手段３０４は、上記ステップ＃１８において、時計回路３０３の計時を終了する。  
次に、練習モード手段３０４は、上記ステップ＃１９において、時計回路３０３の計時時間を読み取り、この計時時間を練習モードにおいてＡＦポイントをＰ１４からＰ１１に移動するに要する操作所要時間として例えばＳＤＲＡＭ１２５に記憶する。
【００５９】
次に、練習モード手段３０４は、上記ステップ＃２０において、目標のＡＦポイントの生成を所定回数実行したか否かを判断し、目標のＡＦポイントの生成を所定回数実行していなければ、練習モード手段３０４は、再び、上記ステップ＃１１に戻り、ＡＦポイントＰ１１の次の目標のＡＦポイントを生成し、当該次の目標のＡＦポイントを点滅する。  
これ以降、練習モード手段３０４は、上記ステップ＃１１〜＃２０を繰り返す。
【００６０】
このようにカメラの機種等によっては、ＡＦポイントを選択するための操作手段がダイヤルであったり、ボタンであったりして相違し、かつこれらダイヤルやボタンのカメラ本体における取り付け位置や個数も相違し、さらにＡＦポイントの個数やこれらＡＦポイントの配置位置が相違していたとしても、上記同様に、練習モードを備えることにより、カメラの機種等の違いによってＡＦポイント数やＡＦポイントを切り替えるための操作部の配置位置の相違、ＡＦポイントを切り替えるための操作方法に相違があっても、ＡＦポイントの切り替え操作を短時間で習得可能である。
【００６１】
上記第１の実施の形態では、練習モードにおけるＡＦポイントの移動をファインダー内のスーパーインポーズ表示により行っているが、練習モードにおけるＡＦポイントの移動は、液晶モニタ１２４に表示してもよい。この場合、Ｂucom１５０は、ＦlashＲＯＭ１２６に記憶されているＡＦポイントを選択するための練習モード用プログラムを実行し、複数のＡＦポイントＰ１〜Ｐ１１を変更する操作を練習するための練習モード、すなわち目標のＡＦポイントを複数のＡＦポイントＰ１〜Ｐ１１の中から例えば１つ設定し、当該目標のＡＦポイントの選択が確定すると、次の目標のＡＦポイントを複数のＡＦポイントＰ１〜Ｐ１１の中からランダムに選択して１つ設定することを繰り返すことを液晶モニタ１２４に表示する。
【００６２】
次に、本発明の第２の実施の形態について図面を参照して説明する。なお、本実施の形態は、その構成が上記図１に示す構成と同一であり、相違する部分について説明する。  
記録メディア１２７、ＳＤＲＡＭ１２５、ＥＥＰＲＯＭ１２９又はＦlashＲＯＭ１２６には、撮影された画像データ以外の画像データ等の画像情報が予め記憶されている。この画像情報は、静止画又は動画像のいずれか一方又は両方である。図１１は静止画の一例を示し、図１２は動画像の一例を示す。静止画の画像情報は、複数のＡＦポイントＰ１〜Ｐ１１においてピントが合っていない画像データと、ＡＦポイントＰ１〜Ｐ１１のそれぞれにピントが合っているときの複数の画像データとを有する。動画像の画像情報も複数のＡＦポイントＰ１〜Ｐ１１においてピントが合っていない動画像の画像データと、ＡＦポイントＰ１〜Ｐ１１のそれぞれにピントが合っているときの動画像の複数の画像データとを有する。
【００６３】
なお、静止画の画像情報は、図１１に示すような花等の植物の画像データに限ることはなく、又動画像の画像情報も図１２に示すような車両等が走行する動画像の画像データに限ることはない。動画像の画像情報は、例えば撮影会において被写体であるモデル等がポーズや表情を変化させたシーンの動画像データである。
【００６４】
Ｂucom１５０は、練習モード時、記録メディア１２７、ＳＤＲＡＭ１２５、ＥＥＰＲＯＭ１２９又はＦlashＲＯＭ１２６に記憶されている動画像又は静止画のいずれか一方を読み出し、動画像又は静止画を液晶モニタ１２４に表示する再生手段としての機能を有する。  
又、Ｂucom１５０は、動画像又は静止画を液晶モニタ１２４に表示すると共に、複数のＡＦポイントＰ１〜Ｐ１１を動画像又は静止画に重畳させて液晶モニタ１２４に表示する。  
又、Ｂucom１５０は、複数のＡＦポイントＰ１〜Ｐ１１のうち目標のＡＦポイントが選択されると、当該目標のＡＦポイントに対応する部分のピントの合っている静止画の画像データ又は動画像の画像データを記録メディア１２７、ＳＤＲＡＭ１２５、ＥＥＰＲＯＭ１２９又はＦlashＲＯＭ１２６から読み出し、このピントの合っている静止画の画像データ又は動画像の画像データを液晶モニタ１２４に表示する。
【００６５】
次に、本カメラの動作について説明する。  
先ず、静止画を液晶モニタ１２４に表示する場合である。  
Ｂucom１５０は、練習モード時、記録メディア１２７、ＳＤＲＡＭ１２５、ＥＥＰＲＯＭ１２９又はＦlashＲＯＭ１２６に記憶されている例えば図１０に示すような静止画を読み出し、この静止画を液晶モニタ１２４に表示すると共に、複数のＡＦポイントＰ１〜Ｐ１１を静止画に重畳させて液晶モニタ１２４に表示する。  
練習モード手段３０４は、メインダイヤル４００の回転操作を受けて、現在のＡＦポイントを例えばＰ１からＰ５を経て目標のＡＦポイントＰ６に移動する。この場合、練習モード手段３０４は、上記ステップ＃１６において、現在のＡＦポイントＰ１から目標のＡＦポイントＰ６への移動の過程に、現在の各ＡＦポイントＰ１、Ｐ５、Ｐ６を順次点灯する。
【００６６】
次に、練習モード手段３０４は、上記ステップ＃１７において、現在のＡＦポイントが目標のＡＦポイントＰ６に一致したか否かを判断する。この判断の結果、現在のＡＦポイントが目標のＡＦポイントＰ６に一致すると、Ｂucom１５０は、当該目標のＡＦポイントＰ６に対応する部分のピントの合っている静止画の画像データを記録メディア１２７、ＳＤＲＡＭ１２５、ＥＥＰＲＯＭ１２９又はＦlashＲＯＭ１２６から読み出し、このピントの合っている静止画の画像データを液晶モニタ１２４に表示する。
【００６７】
一方、現在のＡＦポイントが目標のＡＦポイントＰ６に一致していなければ、Ｂucom１５０は、目標のＡＦポイントＰ６に対応する部分にピントが合っていない静止画の画像データを記録メディア１２７、ＳＤＲＡＭ１２５、ＥＥＰＲＯＭ１２９又はＦlashＲＯＭ１２６から読み出し、このピントが合っていない静止画の画像データを液晶モニタ１２４に表示する。
【００６８】
図１３は別の静止画の例を示す。同図は主要被写体である花に対するピントがぼけており、背景に対するピントが合っている状態の画像で、目標のＡＦポイントＰ６に対してＡＦポイントＰ３が選択されたときの画像を示す。このような画像の表示であれば、目標のＡＦポイントＰ６が選択されず、ＡＦポイントＰ３が選択された状態を示し、主要被写体である花に対するＡＦポイントの選択が誤っていることをさらに容易に認識することができる。
【００６９】
図１４はさらに別の静止画の例を示す。同図は花と蜂を含む撮影シーンの静止画を示すもので、例えば蜂の眼に相当するＡＦポイントＰ７を選択した場合に、蜂の眼にピントが合った画像を表示している。  
又、例えば花びら上のＡＦポイントＰ５を選択した場合、花びらにピントが合った画像を表示することにより、主要被写体である蜂の眼にピントが合っている場合とそうでない場合の視覚的な区別が容易に可能である。
【００７０】
次に、動画像を液晶モニタ１２４に表示する場合である。  
Ｂucom１５０は、練習モード時、記録メディア１２７、ＳＤＲＡＭ１２５、ＥＥＰＲＯＭ１２９又はＦlashＲＯＭ１２６に記憶されている例えば上記図１２に示すような動画像を読み出して液晶モニタ１２４に表示すると共に、複数のＡＦポイントＰ１〜Ｐ１１を動画像に重畳させて液晶モニタ１２４に表示する。  
練習モード手段３０４は、メインダイヤルＭＤやサブダイヤルＳＤなどカメラ操作ＳＷ１５２の回転操作を受けて、現在のＡＦポイントを例えばＰ１からＰ５を経て目標のＡＦポイントＰ６に移動する。この場合、練習モード手段３０４は、上記ステップ＃１６において、上記同様に現在の各ＡＦポイントＰ１、Ｐ５、Ｐ６として順次点灯する。
【００７１】
次に、練習モード手段３０４は、上記ステップ＃１７において、現在のＡＦポイントが目標のＡＦポイントＰ６に一致したか否かを判断する。この判断の結果、現在のＡＦポイントが目標のＡＦポイントＰ６に一致すると、Ｂucom１５０は、当該目標のＡＦポイントＰ６に対応する部分のピントの合っている動画像の画像データを記録メディア１２７、ＳＤＲＡＭ１２５、ＥＥＰＲＯＭ１２９又はＦlashＲＯＭ１２６から読み出して液晶モニタ１２４に表示する。
【００７２】
一方、現在のＡＦポイントが目標のＡＦポイントＰ６に一致していなければ、Ｂucom１５０は、目標のＡＦポイントＰ６に対応する部分にピントが合っていない動画像の画像データを記録メディア１２７、ＳＤＲＡＭ１２５、ＥＥＰＲＯＭ１２９又はＦlashＲＯＭ１２６から読み出して液晶モニタ１２４に表示する。  
又、さらに別の動画像の例を図１５、１６に示す。図１５は画像上人物が右から左に移動しているような撮影シーンの動画像を示す。図１５において撮影者によるメインダイヤル４００の回転操作により選択された現在のＡＦポイントがＰ１であり、予め決められた目標のＡＦポイントは人物の顔に相当するＰ２と設定されている場合である。この場合、選択された現在のＡＦポイントＰ１と目標のＡＦポイントＰ２とは一致していないので、人物に対してピントが合っていない動画像を表示している。
【００７３】
図１６は、上記図１５より時間が経過して人物が移動した撮影シーンを示しており、撮影者により選択された現在のＡＦポイントがＰ１であり、予め決められた目標のＡＦポイントは人物の顔に相当するＰ１と設定されている場合であって、現在のＡＦポイントＰ１と目標のＡＦポイントＰ１とが一致しているので、人物の顔にピントが合った動画像を表示している。
【００７４】
このように上記第２の実施の形態によれば、撮影された画像データ以外の画像データ等の画像情報、例えば図１１に示すような静止画や図１２に示すような動画像の画像データを予め記憶し、動画像又は静止画の画像データを液晶モニタ１２４に表示すると共に、複数のＡＦポイントＰ１〜Ｐ１１を動画像又は静止画に重畳させて液晶モニタ１２４に表示する。
【００７５】
これにより、練習モードにおいても、撮像を行うときと同じように動画像又は静止画を液晶モニタ１２４に表示するものとなり、実際に被写体を撮像するときと同様の感覚でＡＦポイントの選択の練習ができ、ＡＦポイントを選択するときのメインダイヤルＭＤやサブダイヤルＳＤなどの操作テクニックを向上できる。  
特に、現在のＡＦポイントが目標のＡＦポイントに一致すると、Ｂucom１５０は、目標のＡＦポイントに対応する部分のピントの合っている静止画又は動画像の画像データを液晶モニタ１２４に表示するので、実際に被写体を撮像するときと同様の感覚、すなわち静止画又は動画像の画像データが擬似の被写体として液晶モニタ１２４に表示され、バーチャル感覚でＡＦポイントを選択するときのメインダイヤルＭＤやサブダイヤルＳＤなどの操作の練習ができる。
【００７６】
しかるに、被写体が存在しなくても、実際の撮像時と同様の画像データの表示ができ、例えば図１１、図１３、図１４に示すような花等の植物の静止画の画像データを液晶モニタ１２４に表示すれば、花等の植物の静止画を撮像しているような感覚でＡＦポイントを選択するときの操作の練習ができ、かつ図１２、図１５、図１６に示すような車両等が走行する動画像の画像データを液晶モニタ１２４に表示すれば、車両等が走行する動画像を撮像しているような感覚でＡＦポイントを選択するときの操作の練習ができる。又、動画像の種類を変えれば、例えば撮影会において被写体であるモデル等がポーズや表情を変化させたシーンの動画像を撮像しているような感覚でＡＦポイントを選択するときの操作の練習ができる。
【００７７】
又、現在のＡＦポイントが目標のＡＦポイントに一致しなければ、目標のＡＦポイントに対応する部分にピントの合っていない静止画又は動画像の画像データを液晶モニタ１２４に表示し、現在のＡＦポイントが目標のＡＦポイントに一致すれば、目標のＡＦポイントに対応する部分にピントの合っている静止画又は動画像の画像データを液晶モニタ１２４に表示するので、ピントの合っていない静止画又は動画像の画像データを表示することにより、目標のＡＦポイントの選択が誤っていることをユーザに知らせることができる。すなわち、明らかに主要被写体が液晶モニタ１２４の画面の中央部に存在する静止画又は動画像の画像データに対して主要被写体から外れたＡＦポイントを選択すると、ピントの合っていない静止画又は動画像の画像データが液晶モニタ１２４に表示され、目標のＡＦポイントの選択が誤っていることをユーザに知らせることができる。
【００７８】
なお、目標のＡＦポイントの選択が誤っていることは、目標のＡＦポイントの点滅周期をより速くしたり、当該目標のＡＦポイントの輝度より高くしたり、又は表示色を変更したりなどして目標のＡＦポイントの選択が誤っていることをユーザに知らせるようにしてもよい。
【００７９】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００８０】
１１：カメラ本体、１２：レンズ鏡筒、２０５：レンズ制御用マイクロコンピューク（Ｌucom）、１５０：ボディ制御用マイクロコンピュータ（Ｂucom）、２０６：通信コネクタ、１２ａ：撮影光学系、２０３：絞り、２０２：レンズ駆動機構、２０４：絞り駆動機構、１３ａ：ペンタプリズム、１３ｂ：反射鏡、１３ｃ：接眼レンズ、１１４：サブミラー、１４：シャッタ、１１６：ＡＦセンサユニット、１１７：ＡＦセンサ駆動回路、１１８：ミラー駆動機構、１１９：シャッタチャージ機構、１２０：シャッタ制御回路、１２１：測光回路、３０２：発光ダイオード、３０１：投光レンズ、３００：フォーカシングスクリーン、Ｐ１〜Ｐ１１：ＡＦポイント、ＭＤ：メインダイヤル、ＳＤ：サブダイヤル、２７：撮像素子、２１：防塵フィルタ、２２：圧電素子、１４０：防塵フィルタ駆動回路、１３３：温度測定回路、１２３：インタフェィス回路、１２４：液晶モニタ、１２５：ＳＤＲＡＭ、１２６：ＦlashＲＯＭ、１２７：記録メディア、１２８：画像処理コントローラ、１２９：不揮発性メモリ、１５１：動作表示用ＬＣＤ、１５２：カメラ操作スイッチ（ＳＷ）、３０３：時計回路、１５４：電池、１５３：電源回路、３０４：練習モード手段、４００：メインダイヤル。
【図１】
2010250123.tif 000003
【図２】
2010250123.tif 000004
【図３】
2010250123.tif 000005
【図４】
2010250123.tif 000006
【図５】
2010250123.tif 000007
【図６】
2010250123.tif 000008
【図７】
2010250123.tif 000009
【図８】
2010250123.tif 000010
【図９】
2010250123.tif 000011
【図１０】
2010250123.tif 000012
【図１１】
2010250123.tif 000013
【図１２】
2010250123.tif 000014
【図１３】
2010250123.tif 000015
【図１４】
2010250123.tif 000016
【図１５】
2010250123.tif 000017
【図１６】
2010250123.tif 000018